(57)【要約】【課題】光が入り込んでも見え難くなることを防止する。【解決手段】透明ガラスの表示面３２Ａと磨りガラスの表示面３２Ｂからなる表示部１２を有する電子機器１は、表示面３２Ａまたは表示面３２Ｂが表を向くように表示部３２の姿勢を制御し、表を向いている表示面３２の前方の照度に応じて表を向く表示面３２を切り換える。その結果、表示面３２に光が入り込んでも見え難くなることを防止する。本発明は、たとえば車載用のカーナビゲーション装置等の電子機器に適用できる。【選択図】図５
2011025779.tif 000002
【特許請求の範囲】
【請求項１】
第１の表示面と第２の表示面からなる表示部を有する表示制御装置において、
上記第１の表示面または上記第２の表示面が所定の方向を向くように上記表示部の姿勢を制御する制御手段と、
上記第１の表示面または第２の表示面の前方の照度を検出する検出手段と
を有し、
上記制御手段は、上記所定の方向を向いている表示面の前方の照度に応じて上記所定の方向を向く表示面を切り換える
ことを特徴とする表示制御装置。
【請求項２】
請求項１に記載の表示制御装置において、
前記表示部は、無機ＥＬ表示部の一方の面に透明ガラスが、他方の面に磨りガラスが積層されて構成されており、
前記第１の表示面は、透明ガラス側の面であり、前記第２の表示面は、磨りガラス側の面であり、
前記制御手段は、前記検出手段により検出された照度の大きさが所定の閾値より大きいかまたはそれ以上である場合、前記第２の表示面が前記所定の方向を向くように、前記表示部を回転させ、検出された照度の大きさが所定の閾値より小さいまたはそれ以下である場合、前記第１の表示面が前記所定の方向を向くように、前記表示部を回転させる
ことを特徴とする表示制御装置。
【請求項３】
請求項２に記載の表示制御装置において、
前記制御手段は、前記所定の方向を向く表示面を切り換えるとき、前記表示部に表示される表示の上下を反転させる
ことを特徴とする表示制御装置。
【請求項４】
第１の表示面と第２の表示面からなる表示部を有する表示制御装置の表示制御方法において、
上記第１の表示面または上記第２の表示面が所定の方向を向くように上記表示部の姿勢を制御する制御ステップと、
上記第１の表示面または第２の表示面の前方の照度を検出する検出ステップと
を含み、
上記制御ステップは、上記所定の方向を向いている表示面の前方の照度に応じて上記所定の方向を向く表示面を切り換える
ことを特徴とする表示制御方法。
【請求項５】
第１の表示面と第２の表示面からなる表示部を有する表示制御装置の上記表示部の姿勢を制御するプログラムであって、
上記第１の表示面または上記第２の表示面が所定の方向を向くように上記表示部の姿勢を制御する制御ステップと、
上記第１の表示面または第２の表示面の前方の照度を検出する検出ステップと
を含み、
上記制御ステップは、上記所定の方向を向いている表示面の前方の照度に応じて上記所定の方向を向く表示面を切り換える
ことを特徴とする制御処理をコンピューターに実行させるプログラム。
【発明の詳細な説明】
【技術分野】
【０００１】
本発明は、表示制御装置および表示制御方法、並びにプログラムに関する。
【背景技術】
【０００２】
たとえば、車載に搭載されているナビゲーション装置やオーディオ装置等の電子機器の表示部は、その表示面が運転席や助手席から視認できる方向に向けられている。しかしながら、車両と太陽の位置関係によっては、その表示面に太陽が写り込んで見え難くなることがある。
【０００３】
図８は、表示部２０１の表示面２０２に太陽が写り込み、表示面２０２の左上部分が光って見え難くなっている様子を示している。
【０００４】
このように表示面２０２が見えにくいと、電子機器を正確に操作できなくなり、たとえばボリュームを間違って上げたりするようなことが生ずる。通常、ユーザー（この例の場合、ドライバー）は、手をかざして光を遮ったり、頭の位置を変えて見える角度を調整する必要があった。しかしながら、たとえば運転中にこのような動作を行うと、非常に危険である。
【０００５】
そこで、液晶ディスプレイの場合において、反射板にミラーを設けるとともに、液晶パネルに開口部と非開口部を設けるようにして、液晶パネル前面からの光を液晶パネル前面へ反射する反射モードと、液晶パネル背面からの光を液晶パネル前面へ透過する透過モードを有し、反射モードと透過モードを切り換えることによって視認性を向上させる構成が開示されている（特許文献１）。
【先行技術文献】
【特許文献】
【０００６】
【特許文献１】特開２００５−２５００６３号公報
【発明の概要】
【発明が解決しようとする課題】
【０００７】
しかしながら、上述した方法では、たとえば、反射板に設けられたミラーと液晶パネルの開口部や非開口部との位置合わせが必要となる。したがって装置を精密に製造する必要があるなど手間がかかる。
【０００８】
そこで、本発明は、このような状況に鑑みてなされたものであり、光が入り込んで見え難くなることを、簡単に防止することができるようにするものである。
【課題を解決するための手段】
【０００９】
本発明の一側面の表示制御装置は、第１の表示面と第２の表示面からなる表示部を有する表示制御装置において、第１の表示面または第２の表示面が所定の方向を向くように表示部の姿勢を制御する制御手段と、第１の表示面または第２の表示面の前方の照度を検出する検出手段とを有し、制御手段は、所定の方向を向いている表示面の前方の照度に応じて所定の方向を向く表示面を切り換えることを特徴とする。
【００１０】
表示部は、無機ＥＬ表示部の一方の面に透明ガラスが、他方の面に磨りガラスが積層されて構成されており、第１の表示面は、透明ガラス側の面であり、第２の表示面は、磨りガラス側の面であり、制御手段は、検出手段により検出された照度の大きさが所定の閾値より大きいかまたはそれ以上である場合、第２の表示面が所定の方向を向くように、表示部を回転させ、検出された照度の大きさが所定の閾値より小さいまたはそれ以下である場合、第１の表示面が所定の方向を向くように、表示部を回転させることができる。
【００１１】
制御手段は、所定の方向を向く表示面を切り換えるとき、表示部に表示される表示の上下を反転させることができる。
【００１２】
本発明の一側面の表示制御方法は、第１の表示面と第２の表示面からなる表示部を有する表示制御装置の表示制御方法において、第１の表示面または第２の表示面が所定の方向を向くように表示部の姿勢を制御する制御ステップと、第１の表示面または第２の表示面の前方の照度を検出する検出ステップとを含み、制御ステップは、所定の方向を向いている表示面の前方の照度に応じて所定の方向を向く表示面を切り換えることを特徴とする。
【００１３】
本発明の一側面のプログラムは、第１の表示面と第２の表示面からなる表示部を有する表示制御装置の表示部の姿勢を制御するプログラムであって、第１の表示面または第２の表示面が所定の方向を向くように表示部の姿勢を制御する制御ステップと、第１の表示面または第２の表示面の前方の照度を検出する検出ステップとを含み、制御ステップは、所定の方向を向いている表示面の前方の照度に応じて所定の方向を向く表示面を切り換えることを特徴とする制御処理をコンピューターに実行させる。
【発明の効果】
【００１４】
本発明の一側面によれば、光が入り込んでも見え難くなることを、簡単に防止することができる。
【図面の簡単な説明】
【００１５】
【図１】本発明の実施の形態に係る電子機器の外観の構成例を示す図である。
【図２】図１の表示パネルの構成例を示す図である。
【図３】無機ELディスプレイパネルの表示例を示す図である。
【図４】図１の表示部の構成例を示す図である。
【図５】図１の表示部の回転動作を示す図である。
【図６】本発明の実施の形態に係る電子機器の機能的構成例を示すブロック図である。
【図７】表示部の切り換え処理を行う場合の制御部の動作を示すフローチャートである。
【図８】表示面の表示状態を示す図である。
【発明を実施するための形態】
【００１６】
［本発明の実施の形態に係る電子機器１の構造］
図１は、本発明の実施の形態に係る電子機器１の外観の構成例を示す図である。電子機器１は、本体１１および表示部１２を有して構成されている。なおここでは、電子機器１は、車両に搭載されるオーディオ機器やカーナビゲーション装置とする。すなわち電子機器１は、車両の車室前方に、表示部１２が運転席や助手席がある方向を向くように配置される。
【００１７】
表示部１２は、無機ELディスプレイパネル（inorganic electroluminescence
display）２１を有して構成されている。無機ELディスプレイパネルは、電圧をかけると発光する物質を利用したディスプレイで、発光体がガラス基板に蒸着され、100〜200Vの交流電圧をかけることによって文字等が表示される。
【００１８】
図２は、無機ELディスプレイパネル２１（以下、表示パネル２１と称する）の構成例を示す図である。表示パネル２１は、発光体が蒸着された表示管３１の一方の面に、透明ガラス３２Ａが、そしてその反対の面に磨りガラス３２Ｂがそれぞれ積層されて構成されている。
【００１９】
無機ELディスプレイパネルは、図３に示すように、表示している文字等以外の部分を透明にできる特徴がある。そのため、発光体が蒸着された表示管３１を挟むようにして、透明ガラス３２Ａと磨りガラス３２Ｂを積層すれば、透明ガラス３２Ａが露出している側と磨りガラス３２Ｂが露出している側の両方から表示を視認することができる。
【００２０】
すなわち表示部１２には、図４の上段に示すように、透明ガラス３２Ａが露出する表示面（以下、表示面３２Ａと称する）と、図４の下段に示すように、磨りガラス３２Ｂが露出する表示面（以下、表示面３２Ｂと称する）の２個の表示面３２Ａ，３２Ｂ（以下、個々に区別する必要がない場合、単に、表示面３２と称する）が表裏一体に（すなわち１８０度の角度を持って）設けられている。
【００２１】
また表示部１２には、図４の上段に示すように、表示面３２Ａと同じ側に照度センサー４１Ａが、そして図４の下段に示すように、表示面３２Ｂと同じ側に照度センサー４１Ｂが、それぞれ設けられている。照度センサー４１Ａは、表示面３２Ａの前方の照度を検出し、照度センサー４１Ｂは、表示面３２Ｂの前方の照度を検出する。
【００２２】
図１に戻り電子機器１は、表を向く表示部１２の表示面３２（ユーザが視認できる表示面３２）を、表示面３２Ａから表示面３２Ｂ、または表示面３２Ｂから表示面３２Ａに切り換えることができる。
【００２３】
図１の例では、表示部１２は、表示部１２の幅方向（図１において縦方向）の側面が支持部５１を介して本体１１のスライド部１１Ａに接続されている。支持部５１が回転したりスライド部１１Ａを上下方向に移動することによって、表示部１２が上下１８０度回転し、表を向く表示面３２が切り換えられる。
【００２４】
図５は、表を向く表示面３２が、表示面３２Ａから表示面３２Ｂに切り換えられる様子を示している。図５の最上段に示すように、表示面３２Ａが表を向いている状態から、上から第２段目に示すように、支持部５１がスライド部１１Ａにガイドされて下方に移動し、表示部１２の下側が前方に押し出されるようにして表示部１２が倒される。そして図５の上から第３段目および最下段に示すように、前に押し出された側が上に持ち上げられることによって、表示面３２Ｂが表に向くように表示部１２が立てられる。このようにして、表を向く表示面３２が、表示面３２Ａから表示面３２Ｂに切り換えられる。
【００２５】
表示面３２Ｂから表示面３２Ａに切り換える場合は、その図示は省略するが、図５の最下段に示すように、表示面３２Ｂが表を向いている状態から、表示部１２の上側が前方（手前）に倒れる。そして支持部５１がスライド部１１Ａにガイドされて上方に移動することによって、表示面３２Ａが表を向くように表示部１２が立てられる。このようにして、表を向く表示面３２が、表示面３２Ｂから表示面３２Ａに切り換えられる。
【００２６】
［表示面切り換え処理］
図６は、電子機器１（本体１１）の本発明に係る機能的構成例を示すブロック図である。電子機器１には、その電子機器としての一般的な機能（たとえば、オーディオ信号再生機能、ナビゲーション機能）を実行するための構成が存在するが、ここではそれらの構成の図示は省略されている。
【００２７】
駆動部１０１は、制御部１０２の制御に従って、上述したように支持部５１を可動させて表示部１２を回転させ、表を向く表示面３２を切り換える。制御部１０２は、表に向いている表示面３２と同じ側にある照度センサー４１からのセンサー信号を入力する。そして制御部１０２は、そのセンサー信号に基づいて表示面３２の前方の明るさを検出し、その明るさに基づいて駆動部１０１を制御する。
【００２８】
図７は、表を向く表示面３２を切り換える処理を実行する場合の制御部１０２の動作を示すフローチャートである。
【００２９】
ステップＳ１において、制御部１０２は、いま表を向いている表示面３２と同じ側の照度センサー４１からのセンサー信号を取得し、ステップＳ２において、取得したセンサー信号に基づいて照度（すなわち、表を向いている表示面３２の前方の明るさ）が所定の閾値以上であるか否かを判定する。
【００３０】
ステップＳ２で、照度が閾値より小さいと判定された場合、ステップＳ３において、制御部１０２は、表示面３２Ａ（透明ガラス３２Ａ側の面）が表を向くように表示部１２の姿勢を制御する。たとえば表示面３２Ｂが表を向いている場合、駆動部１０１を制御して、表示面３２Ａが表を向くように表示部１２を回転させる。なおこの場合、表示部１２の上下が反転するので、表示状態をそのままとすると、表示の上下も反転する（すなわち上と下が反対になって表示される）。そこで制御部１０２は、表示状態の上下を反転させる処理を行い、表示の上下を元に戻す。
【００３１】
なお表を向いている表示面３２が表示面３２Ａであるかまたは表示面３２Ｂであるかは、たとえば初期状態においては、表示面３２Ａが表を向くようにし、表を向く表示面３２を切り換える毎に、表を向いている表示面３２を示す情報を内部の記憶部（図示せぬ）に記憶することにより判断できる。
【００３２】
いまの場合、はじめから表示面３２Ａが表を向いている場合は、その状態が維持される。
【００３３】
ステップＳ２で、照度が閾値以上であると判定された場合、すなわちたとえば太陽が写り込み、照度が大きくなった場合、ステップＳ４において、制御部１０２は、表示面３２Ｂ（磨りガラス３２Ｂ側の面）が表を向くように表示部１２の姿勢を制御する。表示面３２Ａが表を向いている場合、制御部１０２は、駆動部１０１を制御して、表示面３２Ｂが表を向くように表示部１２を回転させる。この場合も、表示状態をそのままとすると、表示の上下が反転するため、制御部１０２は、表示状態の上下を反転させる処理を行う。
【００３４】
はじめから表示面３２Ｂが表を向いている場合は、その状態が維持される。
【００３５】
ステップＳ３またはステップＳ４の処理が行われると、処理はステップＳ１に戻り、それ以降の処理が、たとえば電源がオフされるまで繰り返し行われる。
【００３６】
［実施の形態の効果］
透明ガラス３２Ａは、光を反射するので、太陽が写り込むような場合は、図８に示したように、その部分が光って見え難くなる。一方磨りガラス３２Ｂは、光を拡散し、反射を抑制するので、太陽が写り込んでも、光の反射によって見え難くなることを防止することができる。
【００３７】
したがって上述したように、たとえば、太陽が写り込んで、表示部１２の前方が明るい場合は、表示面３２Ｂ（磨りガラス３２Ｂ側の面）が表を向くようにしたので、太陽が表示面３２に写り込むような場合でも、光の反射によって見え難くなることを抑制することができる。その結果、たとえばユーザは手で光を遮ったり、頭を動かして見える角度を調整する必要がなくなるので、安全に運転することができるようになる。
【００３８】
またたとえば太陽が写り込んでおらず、通常の明るさの場合は、表示面３２Ａ（透明ガラス３２Ａ側の面）が表を向くようにしたので、通常の明るさの場合においては、通常の視認性を確保することができる。
【００３９】
［変形例］
なお以上においては、電子機器１を、車載に搭載するオーディオ機器やカーナビゲーション装置としたが、車載に搭載される他の機器とすることもできる。また車載用以外の電子機器に利用することもできる。
【００４０】
また以上においては、１個の表示パネル２１が２個の表示面３２を有する場合を例として説明したが、それぞれ１つの表示面３２を有する２個の表示パネル２１を設けるようにすることもできる。また２個に限らず、それより多い数の表示面３２を有するようにすることもできる。
【００４１】
また以上においては、２個の表示面３２が表裏一体になる構成、すなわち両者が１８０度の角度を有する構成を有していたが、他の角度を有する構成とすることもできる。
【００４２】
また以上においては、表示面３２のそれぞれに照度センサー４１が設けられている場合を例として説明したが、たとえば表示面３２の切り換えに関係なく表示部１２の前方の照度を検出できる照度センサーを１つ配置することもできる。
【００４３】
また以上においては、表示部１２を上下１８０度回転させて表を向く表示面３２を切り換えるようにしたが、表示部１２の構造に応じて他の方法で切り換えることもできる。
【００４４】
また以上においては、表を向く表示面３２を切り換えたとき、表示形態の上下を反転したが、さらにたとえば表示の輝度や色が切り換わるようにすることもできる。
【００４５】
また上述した機能は、コンピューターによっても実現することができる。その場合、上述した機能の処理内容を記述したプログラムが提供される。そのプログラムをコンピューターで実行することにより、処理機能がコンピューター上で実現される。処理内容を記述したプログラムは、コンピューターで読み取り可能な記録媒体に記録しておくことができる。コンピューターで読み取り可能な記録媒体としては、磁気記録装置、光ディスク、光磁気記録媒体、半導体メモリーなどがある。磁気記録装置には、ハードディスク装置（ＨＤＤ）、フレキシブルディスク（ＦＤ）、磁気テープなどがある。光ディスクには、ＤＶＤ（Digital Versatile Disc）、ＤＶＤ−ＲＡＭ、ＣＤ−ＲＯＭ（Compact Disc ROM）、ＣＤ−Ｒ（Recordable）／ＲＷ（ReWritable）などがある。光磁気記録媒体には、ＭＯ（Magneto-Optics）などがある。
【００４６】
プログラムを流通させる場合には、例えば、そのプログラムが記録されたＤＶＤ、ＣＤ−ＲＯＭなどの可搬型記録媒体が販売される。また、プログラムをサーバコンピューターの記憶装置に格納しておき、ネットワークを介して、サーバコンピューターから他のコンピューターにそのプログラムを転送することもできる。
【００４７】
また、本発明の実施の形態は、上述した実施の形態に限定されるものではなく、本発明の要旨を逸脱しない範囲において種々の変更が可能である。
【００４８】
またフローチャートにその流れを示した処理は、各ステップが、記載された順序に沿って時系列的に行われる処理はもちろん、必ずしも時系列的に処理されなくても、並列的あるいは個別に実行される処理を含むものである。また適宜処理を省略することもできる。
【符号の説明】
【００４９】
１  電子機器，  １１  本体，  １２  表示部，  ２１  表示パネル，  ３１  表示管，  ３２Ａ  透明ガラス，  ３２Ｂ  磨りガラス，  ４１Ａ  照度センサー，  ４１Ｂ  照度センサー，  １０１  駆動部，  １０２  制御部  
【図１】
2011025779.tif 000003
【図２】
2011025779.tif 000004
【図４】
2011025779.tif 000005
【図５】
2011025779.tif 000006
【図６】
2011025779.tif 000007
【図７】
2011025779.tif 000008
【図３】
2011025779.tif 000009
【図８】
2011025779.tif 000010